(57)【要約】【課題】腎臓機能の重症度の評価の一つとして使われる、年齢と血清シスタチンＣ値からＧＦＲ推算式により算出されるｅＧＦＲｃｙｓ値が、容易に求められるスケールの提供。【解決手段】鞘状をなし、内部に、後記滑り尺を有する固定尺２とその中を、左右自在に動く滑り尺８からからなる。固定尺には、上下に２つの開口窓を有し、上方に窓３、下方に窓４を形成し、窓３の上縁に沿って年齢目盛り５を、窓４の上縁に男性用ｅＧＦＲｃｙｓ値読み取り矢印６、女性用ｅＧＦＲｃｙｓ値読み取り矢印７を表示する。滑り尺８に固定尺２の窓３から露出する部分に、窓上縁に沿って、シスタチンＣ目盛り９を、窓４から露出する部分に、窓上縁に沿ってｅＧＦＲｃｙｓ目盛り１０を表示する。【選択図】図１
0003178948.tif 000002
【実用新案登録請求の範囲】
【請求項１】
血清シスタチンＣ値に基づくＧＦＲ推算式により算出されるｅＧＦＲｃｙｓ値を求めるシスタチンＣ・推算ＧＦＲ早見スケールであって、前記推算式の年齢を等間隔目盛で表した年齢目盛り、ｅＧＦＲｃｙｓ値を読み取るｅＧＦＲｃｙｓ値読み取り矢印を有する第１スケールと、
前記推算式の血清シスタチンＣ値を対数目盛で表したシスタチンＣ目盛り、ｅＧＦＲｃｙｓ値を対数目盛で表したｅＧＦＲｃｙｓ目盛りを有する第２スケールと、を備え、前記年齢目盛りとシスタチンＣ目盛りとを、目盛り合わせ可能に対応させると共に、前記ｅＧＦＲｃｙｓ値読み取り矢印とｅＧＦＲｃｙｓ目盛りとを、目盛り値を読み取り可能に対応させ、
且つ前記第１スケール及び前記第２スケールの一方を固定尺とし、他方を滑り尺としたことを特徴とするシスタチンＣ・推算ＧＦＲ早見スケール。
【請求項２】
前記ｅＧＦＲｃｙｓ目盛りは、数値８を加算した目盛り値に基づいて作製された対数目盛りの目盛り値を、本来のｅＧＦＲｃｙｓ値に変更することで、作製されていることを特徴とする請求項１に記載のシスタチンＣ・推算ＧＦＲ早見スケール。
【考案の詳細な説明】
【技術分野】
【０００１】    本考案は、血清シスタチンＣ値に基づくＧＦＲ推算式により算出される推算ＧＦＲｃｙｓ（ｅＧＦＲｃｙｓ）値が、容易に把握できるシスタチンＣ・推算ＧＦＲ早見スケールに関するもの。
【背景技術】
【０００２】    この種のスケールとして、血清クレアチニン値に基づくＧＦＲ推算式により算出される推算ＧＦＲ値が、容易に把握できるＧＦＲ推算早見スケールが知られている。
【特許文献１】  実用新案登録第３１４４７００号
【考案の開示】
【考案が解決しようとする課題】
【０００３】    腎臓機能の重症度の評価法の新たな一つとして使用される推算ＧＦＲ値（ｅＧＦＲｃｙｓ）は、年齢、血清シスタチンＣ値（Ｃｙｓ−Ｃ）より下記算出式により算出される。
【数１】
0003178948.tif 000003
【数２】
0003178948.tif 000004
この計算を行わず、血清シスタチンＣ値に基づくｅＧＦＲｃｙｓ値を求められる従来のようなスケールは、存在しない。【０００４】    腎臓機能の重症度の評価として、前項推算式で得られたｅＧＦＲｃｙｓの数値をもとに、腎臓機能低下の程度を分類している。【０００５】    本考案は、固定尺と滑り尺を用いることにより、従来関数電卓等で行っていた複雑な計算をすることなく、誰でも簡単に血清シスタチンＣ値に基づくｅＧＦＲｃｙｓ値が求められるシスタチンＣ・推算ＧＦＲ早見スケールの提供を目的としている。
【課題を解決するための手段】
【０００６】    本考案の要旨とするところは、鞘状になった固定尺と、その中を、長さ方向に滑る、滑り尺とで構成し、この固定尺に、等間隔目盛で作成された年齢目盛り、男性用、女性用、ｅＧＦＲｃｙｓ値読み取り矢印、を表示し、滑り尺に、対数目盛で作成されたシスタチンＣ目盛り、対数目盛を後記加工し作成されたｅＧＦＲｃｙｓ目盛りを表示する。滑り尺を動かし固定尺の上方の窓部で、年齢目盛りと接した、滑り尺のシスタチンＣ目盛り、の目盛り線同志を合わせ、固定尺下方の窓部にある男性用、女性用ｅＧＦＲｃｙｓ値読み取り矢印の矢印点と接した、滑り尺のｅＧＦＲｃｙｓ目盛りを読み取る事により数１、数２の計算値が容易に求めらる、シスタチンＣ・推算ＧＦＲ早見スケール。
【考案の効果】
【０００７】    本考案は上記のような構成、機能であるから、誰でも簡単な操作によりｅＧＦＲｃｙｓ値を求めることができるものである。
【考案を実施するための最良の形態】
【０００８】    鞘状になった固定尺と、その固定尺の中を、長さ方向に滑る、滑り尺とで構成され、固定尺の表面に、上下２つの長方形の開口窓を有する。固定尺の上方の窓上縁部に沿って年齢目盛りを表示し、下方の窓上縁部に、男性用ｅＧＦＲｃｙｓ値読み取り矢印、女性用ｅＧＦＲｃｙｓ値読み取り矢印を表示し、他方前記滑り尺の表面に、固定尺の上方の窓から露出する部分に窓の上縁に沿ってシスタチンＣ目盛り、下方の窓から露出する部分に窓の上縁に沿ってｅＧＦＲｃｙｓ目盛り、を表示する。
【実施例】
【０００９】    以下、本考案の実施の形態について、図面を参照し説明します。
図１は本考案の正面図、図２は固定尺の正面図、図３は滑り尺の正面図です。図４は本考案での目盛り設定、目盛り、矢印の位置設定を表した固定尺の正面図、図５は本考案での目盛り設定、目盛り位置設定を表した滑り尺の正面図です。【００１０】    図中１はシスタチンＣ・推算ＧＦＲ早見スケールであり、後記固定尺と滑り尺からなるものである。【００１１】    ２は鞘状で、内部を長さ方向に滑り尺が自由に動く固定尺で、表面上方に長方形の窓３を有し、窓の上縁部に等間隔目盛で表された年齢目盛り５を表示する。固定尺の下方に長方形の窓４を有し、窓の上縁部に男性用ｅＧＦＲｃｙｓ値読み取り矢印６、女性用ｅＧＦＲｃｙｓ値読み取り矢印７を表示する。【００１２】    ８は前記固定尺の内部を長さ方向に可動する滑り尺である。滑り尺８の表面上方には、固定尺２の上方にある窓３の上縁に露出する様、対数目盛で表されたシスタチンＣ目盛り９を表示し、滑り尺８の表面下方には、固定尺２の下方にある窓４の上縁に露出する様、対数目盛りで表されたｅＧＦＲｃｙｓ目盛り１０を表示する。【００１３】    年齢目盛りは等間隔目盛り、シスタチンＣ目盛りは対数目盛で作成する。ｅＧＦＲｃｙｓ目盛りは、対数目盛で作成した後、後記の様に目盛りの表示数値を変える。【００１４】    等間隔目盛りは目盛り数値に対する距離数値を決め、目盛り数値の上がる方向を決めれば、等間隔目盛りの形態を指定できる。対数目盛は、倍率に対する距離数値を決め、目盛り数値の上がる方向を決め、目盛りを作成し、目盛り数値を記入することにより、対数目盛りとしての形態を指定することができる。ここでの目盛りの方向は、右方向に数値が高くなるものを順方向、左方向に数値が高くなるものを逆方向とした。【００１５】    数１、数２共、（）内は乗算の計算式であり、その乗算値の後に８を減ずる式となつている。（）内の乗算値、即ち８を減ずる前までは、各目盛りを計算式に合う様、目盛りの形態を指定すれば、スケールにより計算値を算出できる。そこでｅＧＦＲｃｙｓ目盛りは対数目盛の基本の目盛り、として作製し、その表示数値は、最後に８を減じた計算値が得られる様、基本の目盛り数値から、表１の様に８を減じた数値に変える。この表示数値を変える事により８を減じる事を含む、数１、数２のｅＧＦＲｃｙｓ値が得られる。
【表１】
0003178948.tif 000005
【００１６】    数１、数２から、年齢は０．９９６の年齢乗となっており２０歳と３０歳間、３０歳と４０歳間など、年齢差１０歳間は常に０．９９６の１０乗の約０．９６０７となる。年齢数値の１０歳間がｅＧＦＲｃｙｓ値に与える割合は、ｅＧＦＲｃｙｓ値の約０．９６０７倍となる。ここでの図４、図５の例では、ｅＧＦＲｃｙｓ目盛りの基本の目盛り数値での３０と６０との２倍間、表示数値では２２と５２との目盛り間の距離数値を６０ｍｍと設定した時、０．９６０７倍の距離数値は約３．４７１ｍｍとなる。式より、年齢目盛りは等間隔目盛りとし、１０歳間の距離数値が３．４７１ｍｍの目盛りを作製し、目盛りの中間に５歳間の目盛り線を入れ、年齢目盛りを作製する。シスタチンＣ値の−１．０１９乗がｅＧＦＲｃｙｓ値に与える割合は、シスタチンＣ値の２倍が、ｅＧＦＲｃｙｓ値の約０．４９３５倍となる。図４、図５の例では、同様にｅＧＦＲｃｙｓ目盛りの基本の目盛り数値２倍間の距離数値を、６０ｍｍと設定した時、０．４９３５倍は約６１．１３３ｍｍとなり、目盛り数値２倍間の距離数値が６１．１３３ｍｍである対数目盛のシスタチンＣ目盛りを作製する。この様に３種の目盛りの表示範囲、等間隔目盛りの数値間の距離数値、対数目盛の目盛り数値２倍間の距離数値、目盛り方向について、等間隔目盛りである年齢目盛りを、表２の様に、対数目盛であるｅＧＦＲｃｙｓ目盛り、シスタチンＣ目盛りを、表３の様に、それぞれ設定する。
【表２】
0003178948.tif 000006
【表３】
0003178948.tif 000007
図４で年齢目盛りの１０歳毎の目盛り線間の距離数値１１は、３．４７１ｍｍの等間隔目盛りとし、２０歳から９０歳まで、５歳間隔の等間隔目盛を作製する。図５でシスタチンＣ目盛りの１．５と３．０の数値２倍間の目盛り線間の距離数値１２は６１．１３３ｍｍ、ｅＧＦＲｃｙｓ目盛りは、基本の目盛り数値３０と６０の数値２倍間、表示数値では、２２と５２の目盛り線間の距離数値、１３は６０ｍｍとする。シスタチンＣ目盛り、及び８を減ずる前の基本の目盛り数値のｅＧＦＲｃｙｓ目盛りは、対数目盛であるため、図中の指定箇所以外でも、シスタチンＣ目盛りの数値２倍間の距離数値は、６１．１３３ｍｍとなり、ｅＧＦＲｃｙｓ目盛りの８を減ずる前の基本の目盛り数値２倍間の距離数値は６０ｍｍ、と同じ数値となる。【００１７】    固定尺の年齢目盛り、男性用ｅＧＦＲｃｙｓ値読み取り矢印、滑り尺のシスタチンＣ目盛り、ｅＧＦＲｃｙｓ目盛りのＸ軸方向の設定位置は、図４でのＹ１の点線の様に、年齢目盛り５０の目盛り線と、図５でのＹ１の点線の様にシスタチンＣ目盛り、２．０の目盛り線が、Ｙ軸方向に直線上になる時、図４でのＹ２の点線の様に、男性用ｅＧＦＲｃｙｓ値読み取り矢印の矢印点と、図５での、シスタチンＣ目盛り３４．００の目盛り線が、Ｙ軸方向に直線上となる位置とする。これは年齢５０歳、シスタチンＣ値２．０の男性のｅＧＦＲｃｙｓ値は、数１より約３４．００になることによる。【００１８】    図４の女性用ｅＧＦＲｃｙｓ値読み取り矢印７、のＸ軸方向の設定位置Ｙ３は、数２より、８を減ずる前の（）内乗算値は、男性の乗算値の０．９２９倍であり、８を減ずる前の基本の目盛り数値２倍間の距離数値を、６０ｍｍとしたｅＧＦＲｃｙｓ目盛りでの０．９２９倍の距離数値は６．３７５ｍｍとなり、６．３７５ｍｍを男性用ｅＧＦＲｃｙｓ値読み取り矢印、との距離数値１４とした位置とする。この女性用ｅＧＦＲｃｙｓ値読み取り矢印は、前項の男性用ｅＧＦＲｃｙｓ値読み取り矢印の矢印点が３４．００を示した時、女性用ｅＧＦＲｃｙｓ値読み取り矢印の矢印点は、図４でのＹ３の点線の様に３１を示す事になる。これは年齢５０歳、シスタチンＣ値２．０である女性のｅＧＦＲｃｙｓ値は、数２より、約３１．０２となり、スケールで得られる女性のｅＧＦＲｃｙｓ値と合致する。【００１９】    固定尺に表した年齢目盛り、男性用ｅＧＦＲｃｙｓ値読み取り矢印、女性用ｅＧＦＲｃｙｓ値読み取り矢印、滑り尺に表したシスタチンＣ目盛り、ｅＧＦＲｃｙｓ目盛りは、固定尺にシスタチンＣ目盛り、ｅＧＦＲｃｙｓ目盛り、滑り尺に年齢目盛り、男性用ｅＧＦＲｃｙｓ値読み取り矢印、女性用ｅＧＦＲｃｙｓ値読み取り矢印を表しても、スケールとして同様の計算機能を果たす。【００２０】    ｅＧＦＲｃｙｓ目盛りは、ｅＧＦＲｃｙｓ値の数値により、腎臓機能の重症度の評価として腎臓機能低下の程度を分類していることから、この分類に準じて、分類の領域毎に、色分けなどをして表すことができる。【００２１】    次に本考案の使用方法について説明する。
図１において滑り尺８を動かして、固定尺２の上方に位置する窓３の上縁に表示された、年齢目盛り５と、滑り尺８に表示されたシスタチンＣ目盛り９の、目盛り線同志を合わせた状態で、固定尺２の下方の窓４の上縁に表示された、男性用ｅＧＦＲｃｙｓ値読み取り矢印６の矢印点又は、女性用ｅＧＦＲｃｙｓ値読み取り矢印７の矢印点に接する、滑り尺８のｅＧＦＲｃｙｓ目盛り１０の目盛りを読み取れば、ｅＧＦＲｃｙｓ値が求められる。
【図面の簡単な説明】
【００２２】
【図１】本考案の正面図である。
【図２】固定尺の正面図である。
【図３】滑り尺の正面図である。
【図４】本考案での目盛り設定、目盛り、矢印の位置設定を表した固定尺の正面図である。
【図５】本考案での目盛り設定、目盛り位置設定を表した滑り尺の正面図である。
【符号の説明】
【００２３】  １    シスタチンＣ・推算ＧＦＲ早見スケール
２    固定尺
３    窓
４    窓
５    年齢目盛り
６    男性用ｅＧＦＲｃｙｓ値読み取り矢印
７    女性用ｅＧＦＲｃｙｓ値読み取り矢印
８    滑り尺
９    シスタチンＣ目盛り
１０    ｅＧＦＲｃｙｓ目盛り
１１    年齢目盛り１０歳間の距離数値
１２    シスタチンＣ目盛り数値２倍間の距離数値
１３    ｅＧＦＲｃｙｓ目盛り、８を減ずる前の基本の目盛数値２倍間の距離数値
１４    男性用ｅＧＦＲｃｙｓ値読み取り矢印と女性用ｅＧＦＲｃｙｓ値読み取り矢印間        の距離数値
Ｙ１    年齢目盛り、シスタチンＣ目盛りの位置関係を示す点線
Ｙ２    男性用ｅＧＦＲｃｙｓ値読み取り矢印、ｅＧＦＲｃｙｓ目盛りの位置関係を示す        点線
Ｙ３    女性用ｅＧＦＲｃｙｓ値読み取り矢印、ｅＧＦＲｃｙｓ目盛りの位置関係を示す        点線
【図１】
0003178948.tif 000008
【図２】
0003178948.tif 000009
【図３】
0003178948.tif 000010
【図４】
0003178948.tif 000011
【図５】
0003178948.tif 000012